(57)【特許請求の範囲】
【請求項１】
一端に頭部を有し、他端に刃部を連成した中空軸部の外周に雄ねじを設け、前記刃部は、中空軸部の他端側に開放端部を残すように、断面略半円筒状で先鋭となり、中空軸部と同軸心状となって突出するよう連成されたねじ付きアンカーにおいて、
前記中空軸部の周壁で刃部の連成側と対向する位置に、この周壁の開放端部から頭部側に延びる２本の切れ目を平行状に設けて両切れ目間の部分を中空軸部内にねじ込んだ取り付けねじで押されて外方に突出する可曲片を形成し、前記中空軸部の内周面で該可曲片と軸心を挟んで対向する位置と、刃部の内面に、中空軸部内に進入させた取り付けねじを傾斜させるための突部を軸方向に沿って並ぶように設けたことを特徴とするねじ付きアンカー。
【発明の詳細な説明】
【０００１】
【発明の属する技術分野】
この発明は、石膏ボード等の脆弱な壁面下地材に対し、各種器材等をねじで固定するための下地補強用として用いるねじ付きアンカーに関する。
【０００２】
【従来の技術】
石膏ボード等の壁面下地材に各種器材等を固定する場合、該下地材は脆弱であり、釘やねじを直接打ち込んでも効かないため、下地補強用のアンカーやプラグが必要になる。
【０００３】
従来の上記アンカーは、一端に頭部を有し、他端に刃部を連成した中空軸部の外周に雄ねじを設けた構造を有し、刃部は、円筒状のもの、円筒状で先端に鋸歯状の刃先を設けたもの、フラットな板状で先端が先鋭の刃先になったもの、先鋭の円軸状で周面に刃先形成用の凹部が設けられ、取り付けねじの進入で屈曲するもの等が採用されている。
【０００４】
【発明が解決しようとする課題】
ところで、刃部が円筒状のアンカーは、壁面下地材に向けてねじ込むとき、切削中に刃部内に切削屑が入って圧縮され、これが固い栓の状態になるため、取り付けねじを装填するとき余分な抵抗となり、壁面下地材に対するアンカーの締結力を弱めるという問題がある。また、円筒状で先端に鋸歯状の刃先を設けたものは、壁面下地材に当接させたときの接触面積が少なく、孔あけ開始時に刃先が滑って安定しないため、ねじ込み作業が行いにくいという問題がある。
【０００５】
更に、フラットな板状や円軸状の刃部の場合、壁面下地材の切り屑が外側に向かって排出されるので、アンカー装填後の仕上がりが汚くなると共に、切り屑の排出力が弱く、壁面下地材の裏面を崩しやすい。
【０００６】
しかも、取り付けねじを装填するとき、長いねじの場合、アンカーの中空軸部の底を破り、刃部を傾かせなければならず、壁面下地材に対するアンカーの締結力を弱めるという問題がある。
【０００７】
更にまた、従来の何れのアンカーも、その内径が取り付けねじのサイズに合わせて設定されているため、使用できる取り付けねじの種類がきわめて少なく、かつ、取り付けねじを取り外すとき、該ねじと一緒にアンカーが抜けてしまうという欠点がある。
【０００８】
そこで、この発明の課題は、装填後における仕上がり面がきれいで、かつ、強固な締結力が得られ、使用できる取り付けねじの種類が多くなり、しかも、取り付けねじの取り外し時に共回りの発生がないねじ付きアンカーを提供することにある。
【０００９】
【課題を解決するための手段】
上記のような課題を解決するため、この発明は、一端に頭部を有し、他端に刃部を連成した中空軸部の外周に雄ねじを設け、前記刃部は、中空軸部の他端側に開放端部を残すように、断面略半円筒状で先鋭となり、中空軸部と同軸心状となって突出するよう連成されたねじ付きアンカーにおいて、前記中空軸部の周壁で刃部の連成側と対向する位置に、この周壁の開放端部から頭部側に延びる２本の切れ目を平行状に設けて両切れ目間の部分を中空軸部内にねじ込んだ取り付けねじで押されて外方に突出する可曲片を形成し、前記中空軸部の内周面で該可曲片と軸心を挟んで対向する位置と、刃部の内面に、中空軸部内に進入させた取り付けねじを傾斜させるための突部を軸方向に沿って並ぶように設けた構成を採用したものである。
【００１１】
【発明の実施の形態】
以下、この発明の実施の形態を図示例と共に説明する。
【００１２】
図示のように、アンカー１は、一端に頭部２を有し、外周に雄ねじ３が設けられた中空軸部４と、この中空軸部４の他端に連成した刃部５とで構成され、各種器材の取り付けのために、アンカー１内にねじ込む別体の取り付けねじ６が組み合わせ使用される。
【００１３】
上記中空軸部４は、外周面が頭部２側に向けて大径となるテーパ状で、雄ねじ３も頭部２側に向けて大径となり、頭部２は、雄ねじ３の最大径よりも少し大径で薄い構造になっている。
【００１４】
頭部２の中心にドライバーの係合溝７が十字状に設けられ、中空軸部４の軸心に沿う内部を貫通孔８が係合溝７の底部から連なって軸方向に貫通している。この貫通孔８は係合溝７に対して最大径の部分が少し小径となる十字状で、内周の四箇所の位置に凸部９を有し、該凸部９群の先端の中空軸部４の軸心を中心とする配置径は、このアンカー１と組み合わせ使用する取り付けねじ６のねじ山１０が食い込むことのできる寸法に設定されている。
【００１５】
前記刃部５は、中空軸部４の下端と同径のストレートな断面略半円筒状で先鋭となり、中空軸部４と同軸心状で突出し、中空軸部４の端部に開放端部を残すように連成され、先端部周囲と両側の側縁が刃先１３になっている。
【００１６】
上記中空軸部４の周壁で、刃部５の突設側と軸心を挟んで対向する位置の両側に、中空軸部４の開放端部から頭部２側に向けて、軸方向に沿って平行する２本の切れ目１１、１１が、雄ねじ３の一部を分断するようにして設けられ、この切れ目１１、１１で挟まれた部分の断面形状は、図２（Ｂ）に示すように、十字状貫通孔８の一部を形成する断面コ字状となり、該切れ目１１で挟まれた部分が、中空軸部４内にねじ込んだ取り付けねじ６で押されると外方に突出する可曲片１２に形成されている。
【００１７】
上記刃部５の内面及び、中空軸部４の内周面で可曲片１２と軸心を挟んで対向する位置に、中空軸部４内に進入させた取り付けねじ６を傾斜させるための突部１４と１５が、軸方向に沿って並ぶように設けられている。両突部１４と１５は、図１（Ｃ）に示すように、頭部２側から刃部５の先端側に向けて上り傾斜、即ち、取り付けねじ６の進入方向に対して前方上がりに傾斜し、進入してきた取り付けねじ６を可曲片１２側に押しやる役目をすることになる。
【００１８】
上記のような構造のアンカー１において、中空軸部４の十字状貫通孔８は、図１（Ｃ）の如く、突部１４の突設により、内部幅が狭まることになり、これによって、アンカー１に組み合わせて使用する取り付けねじ６の使用可能な直径の範囲や種類の拡大が図れ、図３のような一般的な取り付けねじの他に、マシンボルト等も使用できる。
【００１９】
この発明のアンカーは、上記のような構成であり、石膏ボード１６等に各種器材１７を固定するには、図３に示すように、頭部２の係合溝７にドライバーを係合させ、アンカー１の刃部５の先端をボード１６に押しつけながら回転させると、先端の刃先１３がボード１６を円形に切り込んでいくと同時に側面の刃先１３がボード１６を切削し、これによって刃部５はボード１６内に進入していく。
【００２０】
このとき、刃部５は、断面略半円形になっているので、切削屑がボード１６の表面側に出ることがなく、アンカー１のねじ込み後におけるボード１６の表面の仕上がりが美しいと共に、刃部５は、略半円形であるので、周壁の一部が開放し、ボード１６を貫通した後は、内部に閉じ込めた切削屑の排出性がよく、アンカー１内にねじ込んだ取り付けねじ６の押圧で簡単に離脱させることができ、取り付けねじ６のねじ込みに余分な抵抗を与えることはない。
【００２１】
刃部５がボード１６を切り抜いて下孔を形成すると、中空軸部４がこの下孔に進入し、中空軸部４の外周に設けた雄ねじ３が下孔にしっかりとくい込むようにねじこまれていき、図３のように頭部２がボード１６の表面に当接した状態でアンカー１はボード１６に固定化される。
【００２２】
この状態で、図３の如く、頭部２に重ねた器材１７からアンカー１の中空軸部４内に取り付けねじ６をねじ込むと、取り付けねじ６は、中空軸部４の貫通孔８の内周にタッピングしながら進入する。
【００２３】
取り付けねじ６が中空軸部４内を進入するとき、先ず、中空軸部４内に設けた突部１４に先端が乗り上げ、取り付けねじ６は可曲片１２側に軸心が移動し、アンカー１の軸心に対して取り付けねじ６の軸心が傾斜し、この傾斜によって可曲片１２を外方に押出し、可曲片１２はボード１６を部分的に圧縮しながらアンカー１の外周よりも外方へ突出し、ボード１６に対するアンカー１の回り止め状態を確保し、取り付けねじ６が長尺の場合は、図３のように、取り付けねじ６の先端が刃部５に設けた突部１５に乗り上げる。
【００２４】
このように、ボード１６にねじ込んだアンカー１は、可曲片１２が外方に押出されて回り止め状となり、このアンカー１にねじ込んだ取り付けねじ６は、該アンカー１に対して傾斜するので軸心がずれ、取り付けねじ６のねじ込み時におけるアンカー１の共回り発生を有効に防止でき、アンカー１及び取り付けねじ６の耐引き抜き強度が得られ、アンカー１を下地補強材として取り付けねじ６による器材１７の強固な固定が可能になる。
【００２５】
次に、器材１７を取り外すために取り付けねじ６を緩める方向に回転させると、アンカー１に取り付けねじ６の回転方向の回転モーメントが加わることになるが、アンカー１は可曲片１２が外方に突出しているため回り止め状となり、かつ、可曲片１２の突出とアンカー１に対する傾斜により、アンカー１の回転モーメントに対する抵抗力は中心軸に対して非対称となり、そのため、取り付けねじ６を緩める方向に回転させても、アンカー１の共回り発生がなく、アンカー１をボード１６に残した状態で器材１７を取り外すことができる。
【００２６】
【発明の効果】
以上のように、この発明によると、取り付けねじをねじ込む中空軸部に略半円筒状で先端が刃先となる刃部を連成し、この中空軸部の周壁に切れ目を入れ、該切れ目で囲まれた部分を、中空軸部内にねじ込んだ取り付けねじで押されて外方に突出する回り止め用の可曲片に形成し、更に中空軸部と刃部の内面に、取り付けねじを傾斜させる突部を設けたので、取り付けねじのねじ込みで外方に突出した可曲片と、中空軸部に対する取り付けねじの傾斜とによつて、耐引き抜き強度の向上が図れると共に、取り付けねじの取り外し時にアンカーの共回り発生がなく、アンカーの抜けを確実に防止できる。
【００２７】
また、壁面下地材に対して先端が安定よく接触し、ねじ込み操作が円滑に行えると共に、切り屑が内部に納まって壁面下地材の表面に出ないので、アンカー装填後の美しい仕上がりが得られ、しかも、刃部は周壁の一部が開放しているので、内部の切削屑の排出が容易となり、アンカーに取り付けねじをねじ込むときの余分な抵抗の発生がなく、アンカーの締結力を弱めることがない。
【図面の簡単な説明】
【図１】（Ａ）はアンカーの正面図、（Ｂ）は同側面図、（Ｃ）は同縦断側面図
【図２】（Ａ）は図１（Ａ）の平面図、（Ｂ）は図１（Ａ）の矢印ｂ−ｂでの横断平面図、（Ｃ）は図１（Ａ）の矢印ｃ−ｃでの横断底面図、（Ｄ）は図１（Ａ）の矢印ｄ−ｄでの横断平面図
【図３】ボードに対するアンカーのねじ込み状態とこのアンカーに取り付けねじで器材を固定した縦断面図
【符号の説明】
１  アンカー
２  頭部
３  雄ねじ
４  中空軸部
５  刃部
６  取り付けねじ
７  係合溝
８  貫通孔
１１  切れ目
１２  可曲片
１３  刃先
１４、１５  突部
１６  ボード
１７  器材
【図１】
0003930960.tif 000002
【図２】
0003930960.tif 000003
【図３】
0003930960.tif 000004